(57)【要約】【課題】  メンテナンス時に使用する端子を、通常使用時に操作させ難くするための適切な構成とすることで、メンテナンス時に使用する端子の安全性の向上を図った電子機器を提供することである。【解決手段】  電子機器１の本体にメンテナンス用の端子部１００と、開閉可能なカバー部材２００と、外部機器とデータのやりとりを行うコネクタ端子を有するインターフェース部とは異なる構成部としての光源構成部３００とを有し、カバー部材２００は、端子部１００を覆うと共に、光源構成部３００を覆う。また、電子機器２の本体にメンテナンス用の端子部６００と、開閉可能なカバー部材５００と、カバー部材５００とは異なる開閉可能な別部材としてのスピーカ構成部４００を構成するスピーカカバー部材４１０を有し、カバー部材５００は、端子部６００を覆うと共に、スピーカカバー部材４１０により開閉を抑制される。【選択図】      図２
2007052320.tif 000002
【特許請求の範囲】
【請求項１】
電子機器の本体にメンテナンス用の端子部と、開閉可能なカバー部材と、外部機器とデータのやりとりを行うコネクタ端子を有するインターフェース部とは異なる構成部とを有し、
前記カバー部材は、前記端子部を覆うと共に、前記構成部を覆うことを特徴とする電子機器。
【請求項２】
電子機器の本体にメンテナンス用の端子部と、開閉可能なカバー部材と、当該カバー部材とは異なる開閉可能な別部材とを有し、
前記カバー部材は、前記端子部を覆うと共に、前記別部材により開閉を抑制されることを特徴とする電子機器。
【請求項３】
請求項２に記載の電子機器であって、
前記別部材とは、他の構成部を覆う開閉可能な別カバー部材であることを特徴とする電子機器。
【請求項４】
請求項１に記載の電子機器であって、
前記電子機器は、映像を投写するプロジェクタ機能を有しており、
前記他の構成部は、前記プロジェクタ機能を実現するための光を射出する光源構成部であることを特徴とする電子機器。
【請求項５】
請求項３に記載の電子機器であって、
前記他の構成部は、音声を出力するスピーカ構成部であり、前記別カバー部材は、前記スピーカ構成部を覆うスピーカカバー部材であることを特徴とする電子機器。
【請求項６】
請求項２、請求項３、請求項５のいずれか一項に記載の電子機器は、映像を投写するプロジェクタ機能を有していることを特徴とする電子機器。
【発明の詳細な説明】
【技術分野】
【０００１】
本発明は、電子機器に関する。
【背景技術】
【０００２】
電子機器の有する接続端子に対するカバー部材に関しての特許は、従来から多数提案されている。その中で、特許文献１では、主カバー部と副カバー部とがヒンジ部によって相互に回転自在に結合されたコネクタカバーを具備して、コネクタカバーの主カバー部で使用頻度の高い主コネクター部を独立して開閉し、主カバー部と副カバー部とを一体に開閉することで使用頻度の低いコネクター部を開閉できるようにしている。また、特許文献２では、端子接続機構は、複数の端子に対してスライドや回転移動する端子カバーを有して、端子カバーの移動位置に応じて各端子を選択的に露出させる構造のものが提案されている。
【０００３】
【特許文献１】特開２００２−２１８３５３号公報
【特許文献２】特開２０００−２０８２１８号公報
【発明の開示】
【発明が解決しようとする課題】
【０００４】
しかしながら、特許文献１及び特許文献２で対象とする接続端子は、ユーザの使用頻度の差は有るものの、全てユーザが使用する接続端子である。したがって、ユーザが通常使用する端子とメンテナンス作業者がメンテナンス時に使用する端子とを電子機器の本体に有する場合には、通常使用時（ユーザの使用時）にユーザにメンテナンス用の端子を操作されてしまうなどの課題が発生する。
【０００５】
本発明は、上記課題に鑑みてなされたものであり、メンテナンス時に使用する端子を、通常使用時に操作させ難くするための適切な構成とすることで、メンテナンス時に使用する端子の安全性の向上を図った電子機器を提供することを目的とする。
【課題を解決するための手段】
【０００６】
上述した目的を達成するために、本発明の電子機器は、電子機器の本体にメンテナンス用の端子部と、開閉可能なカバー部材と、外部機器とデータのやりとりを行うコネクタ端子を有するインターフェース部とは異なる構成部とを有し、カバー部材は、端子部を覆うと共に、構成部を覆うことを特徴とする。
【０００７】
このような電子機器によれば、メンテナンス用の端子部は、インターフェース部とは異なる構成部と共にカバー部材で覆われる。そのため、メンテナンス用の端子部は、通常使用するインターフェース部のコネクタ端子とは分離して設置し、また、メンテナンス用の端子部を操作する場合は、カバー部材を開放して操作することになる。よって、ユーザに対して、メンテナンス用の端子部を操作させ難くするための適切な構成を実現できる。従って、メンテナンス用の端子部を簡単に操作させないための安全性の向上を図ることができる。
【０００８】
上述した目的を達成するために、本発明の電子機器は、電子機器の本体にメンテナンス用の端子部と、開閉可能なカバー部材と、当該カバー部材とは異なる開閉可能な別部材とを有し、カバー部材は、端子部を覆うと共に、別部材により開閉を抑制されることを特徴とする。
【０００９】
このような電子機器によれば、メンテナンス用の端子部は、カバー部材に覆われる。そして、カバー部材は、開閉可能な別部材によってカバー部材の開閉を抑制される。そのため、メンテナンス用の端子を操作する場合は、別部材を開放した後、カバー部材を開放して操作することになる。よって、ユーザに対して、メンテナンス用の端子を操作させ難くするための適切な構成を実現できる。従って、メンテナンス用の端子を簡単に操作させないための安全性の向上を図ることができる。
【００１０】
上記電子機器において、別部材とは、他の構成部を覆う開閉可能な別カバー部材であることが好ましい。
【００１１】
このような電子機器によれば、上記と同様に、ユーザに対して、メンテナンス用の端子を操作させ難くするための適切な構成を実現できる。従って、メンテナンス用の端子を簡単に操作させないための安全性の向上を図ることができる。また、別部材として、他の構成部を覆う開閉可能な別カバー部材を共用できるため、他の部材を用いる必要がなくなり、部品やコストの低減を図ることができる。
【００１２】
上記電子機器において、電子機器は、映像を投写するプロジェクタ機能を有しており、コネクタ端子を有するインターフェース部とは異なる構成部は、プロジェクタ機能を実現するための光を射出する光源構成部であることが好ましい。
【００１３】
このような電子機器によれば、メンテナンス用の端子部は、光源構成部と共にカバー部材で覆われる。そのため、光源構成部（例えばランプ）の交換時に開閉して使用するカバー部材と共通となる。なお、カバー部材は、光源構成部の交換時に開閉するものであり、また、光源構成部の交換は、例えば、光源構成部の点灯累積時間が、設定する累積時間になった際にユーザが行うものであり、その交換頻度は低くなる。よって、カバー部材を開閉する頻度も低くなる。これにより、ユーザに対して、メンテナンス用の端子部を操作させ難くするための適切な構成を実現できる。従って、メンテナンス用の端子部を簡単に操作させないための安全性の向上を図ることができる。
【００１４】
上記電子機器において、他の構成部は、音声を出力するスピーカ構成部であり、別カバー部材は、スピーカ構成部を覆うスピーカカバー部材であっても良い。
【００１５】
このような電子機器によれば、スピーカ構成部を覆うスピーカカバー部材を別カバー部材として使用することにより、メンテナンス用の端子を覆うカバー部材の開閉を抑制することができ、同様の作用および効果を奏することができる。
【００１６】
上記電子機器は、映像を投写するプロジェクタ機能を有していることが好ましい。
【００１７】
このような電子機器によれば、プロジェクタ機能により、映像をスクリーンなどの投影面に投写して視聴することができる。また、上述したと同様に、ユーザに対して、メンテナンス用の端子を操作させ難くするための適切な構成を実現できることにより、メンテナンス用の端子を簡単に操作させないための安全性の向上を図ったプロジェクタ機能を有する電子機器を実現できる。
【発明を実施するための最良の形態】
【００１８】
以下、本発明の実施形態を図面に基づいて説明する。
（第１実施形態）
【００１９】
図１は、本発明の第１実施形態に係る電子機器の概略斜視図であり、背面側から見た斜視図である。図２は、図１において、メンテナンス用の端子部及び光源構成部を覆うカバー部材を開放した状態の斜視図である。図１及び図２を用いて、電子機器１における実施形態での構成及び動作を説明する。
【００２０】
図１及び図２に示すように、本発明の電子機器１は、略直方体の外装である外装ケース５０の内部に、電子機器１の本体として、映像を拡大投写するプロジェクタ本体（図示省略）と、プロジェクタ本体が投写する映像に関連する画像を再生する画像再生装置本体（図示省略）とを収容している。また、プロジェクタ本体は、図中において、外装ケース５０の内部上側に収容され、画像再生装置本体は、外装ケース５０の内部下側に収容されている。ここで、本実施形態でのプロジェクタは、透過型液晶方式のプロジェクタを採用している。また、画像再生装置として、ＤＶＤ（Digital Versatile Disk）プレーヤを採用している。
【００２１】
外装ケース５０の背面側１ａの中央部下側には、画像再生装置としてのＤＶＤプレーヤの記録媒体を投入する投入部１３や動作中の表示を行う表示部１４などが設置されている。また、背面側１ａと右面側１ｂとのコーナー部、及び、背面側１ａと左面側１ｃとのコーナー部にそれぞれ１組ずつスピーカ構成部４００が設置されている。なお、スピーカ構成部４００のスピーカカバー部材４１０が外装ケース５０の外面に固定されている。
【００２２】
外装ケース５０の上面側１ｅには、電子機器１の操作部１０が設置されている。また、電子機器１の外部に設置されるスクリーン８００などの投影面に投写される投写映像の焦点調整やズーム調整を行う調整部１２が設置されている。そして、光を射出する光源構成部３００としてのランプ３１０の交換時に開閉するカバー部材２００が設置されている。なお、ランプ３１０は、カバー部材２００を開放して、プロジェクタ本体内部の所定の場所に差込む構造で収容されている。
【００２３】
外装ケース５０の右面側１ｂには、プロジェクタ本体および画像再生装置本体を冷却するための排気口１５，１６が、スリット状孔を複数形成して設置されている。外装ケース５０の左面側１ｃには、右面側１ｂと同様に、プロジェクタ本体および画像再生装置本体を冷却するための外気を吸気する吸気口１７，１８（図３〜図５に示す）が、スリット状孔を複数形成して設置されている。
【００２４】
外装ケース５０の前面側１ｄには、投写レンズユニット１１が、外装ケース５０に形成した円状口から突出して備えられている。また、前面側１ｄには、インターフェース部（図示省略）が構成されており、外部の機器からの入力信号形式に対応した各種接続用のコネクタ端子（図示省略）が設置されている。ユーザは、通常このコネクタ端子を用いて外部機器と接続する。
【００２５】
このように構成された電子機器１は、画像再生装置本体で再生された画像データをプロジェクタ本体により光学変換し、投写レンズユニット１１を介して電子機器１の外部に映像光（図中において二点鎖線で示す）として射出する。射出された映像光は、スクリーン８００などの投写面に映像として拡大投写される。また、電子機器１は、画像再生装置本体で再生される画像データと共に再生される音声データをＤ/Ａ変換や増幅など行いスピーカ構成部４００を介して電子機器１の外部に音声を出力する。
【００２６】
図２を用いて、メンテナンス用の端子部１００及びカバー部材２００に関して詳細に説明する。
プロジェクタ本体は、画像データを光学変換するための基となる光を射出する光源構成部３００としてのランプ３１０を収容している。上述したように、ランプ３１０は、カバー部材２００の下に位置するプロジェクタ本体に収容されている。なお、光源構成部３００は、電子機器１と外部機器とのデータのやりとりを行う後述するコネクタ端子を有するインターフェース部とは異なる構成部でもある。そして、本実施形態では、ランプ３１０が収容される近傍に回路基板（図示省略）に実装されたメンテナンス用の端子部１００が設置されている。なお、端子部１００として、本実施形態では、Ｄsub端子１１０及びリセット端子１２０が設置されている。また、端子部１００の周囲の回路基板領域は、外装ケース５０の上面側１ｅの外面から一段凹ませたカバー部材受面部５５によって覆われ、外部からの静電気などを回路基板に進入させない構造となっている。これにより、端子部１００は、カバー部材受面部５５の開口部５９の内部に位置する構成となる。
【００２７】
カバー部材２００は、光源構成部３００及び端子部１００を覆い、カバー部材受面部５５の外周部となるカバー部材案内口５６に案内され、外装ケース５０に固定される。詳細には、カバー部材２００は、引掛用の爪２１０，２１１と、突起２１３を有した略Ｕ字状の固定部２１２とを有して板状に構成されている。また、カバー部材受面部５５とカバー部材案内口５６のコーナー部には、穴部５７，５８と、固定用穴部（図示省略）とが形成されている。ここで、カバー部材２００の爪２１０，２１１を穴部５７，５８に引掛ける。そして、固定部２１２を固定用穴部に押圧して挿入することで、固定部２１２は、弾性変形して突起２１３が固定用穴部の裏面側に引っ掛かる。これにより、カバー部材２００は、カバー部材受面部５５に載置され固定される。
【００２８】
このような構成により、メンテナンス用の端子部１００を使用してメンテナンス作業を行う場合には、メンテナンス作業者は、カバー部材２００の固定部２１２を弾性変形させて引っ張り、突起２１３を固定用穴部の裏面側から外すことで、カバー部材２００を開放する。そして、ランプ３１０の近傍に設置された端子部１００としてのリセット端子１２０の操作及びＤsub端子１１０に対応するＤsub端子を挿入しての操作を行う。
【００２９】
ユーザは、ランプ３１０の交換時にカバー部材２００の開閉を行うことになる。なお、電子機器１には、ランプ３１０の点灯時間の累積を計測する累積時間計測機能が内蔵されている。そして、ランプ３１０の交換時期は、累積時間計測機能の動作により設定された累積時間になると交換時期になったと判断され、ランプ３１０の交換時期である事をユーザに表示などの手段で知らせる。ユーザは、その知らせを視認し、カバー部材２００を開放して、新しいランプ３１０に交換する。交換は、具体的には、使用しているランプ３１０を抜出し、新しいランプ３１０を差込むという動作で行われる。ランプ３１０の交換頻度は、インターフェース部の各種コネクタ端子の使用頻度に比べて、はるかに低くなる。従って、ユーザは、誤ってメンテナンス用の端子部１００を操作する機会もインターフェース部の各種コネクタ端子の操作する機会に比べて、はるかに低くなる。
【００３０】
ここで、メンテナンスに関して概要を説明する。
メンテナンスとは、本発明においては、電子機器１に内蔵されるＲＯＭまたはフラッシュメモリなどに記憶されているファームウェアに対して、プロジェクタ機能や画像再生機能などの機能を動作させる上での不具合修正や機能追加を行うために書替えなどの作業を行うことである。この作業は、電子機器１の出荷前と出荷後の双方の段階で行われる。詳細には、メンテナンス作業として、出荷前の段階では、出荷用の最終のファームウェアに書替える作業を行う。また、出荷後の段階では、出荷後に発見された不具合に対する修正、機能の追加およびバージョンアップなどに対してのファームウェアの書替え作業を行う。書替えの際には、端子部１００であるリセット端子１２０及びＤsub端子１１０を使用して書替える。
【００３１】
上述した、実施形態によれば以下の効果が得られる。
（１）本実施形態の電子機器１によれば、インターフェース部とは異なる構成部としての光源構成部３００と共にカバー部材２００で覆われる。そのため、メンテナンス用の端子部１００は、通常使用するインターフェース部のコネクタ端子とは分離して光源構成部３００の近傍に設置し、また、メンテナンス用の端子部１００を操作する場合は、カバー部材２００を開放して操作することになる。よって、ユーザに対して、メンテナンス用の端子部１００を操作させ難くするための適切な構成を実現できる。従って、メンテナンス用の端子部１００を簡単に操作させないための安全性の向上を図ることができる。
【００３２】
（２）本実施形態によれば、メンテナンス用の端子部１００は、光源構成部３００のランプ３１０の交換時に開閉して使用するカバー部材２００と共通となる。なお、カバー部材２００は、ランプ３１０の交換時に開閉するものであり、また、ランプ３１０の交換は、ランプ３１０の点灯累積時間が設定する累積時間になった際にユーザが行うものであり、その交換頻度は低くなる。よって、カバー部材２００を開閉する頻度も低くなる。これにより、ユーザに対して、メンテナンス用の端子部１００を操作させ難くするための適切な構成を実現できる。従って、メンテナンス用の端子部１００を簡単に操作させないための安全性の向上を図ることができる。
（第２実施形態）
【００３３】
図３は、本発明の第２実施形態に係る電子機器の概略斜視図であり、左面側から見た斜視図である。図４は、図３において、メンテナンス用の端子部を覆うカバー部材及びスピーカ構成部を覆う別カバー部材を開放した状態の斜視図である。図５は、カバー部材と別カバー部材を取外した状態（メンテナンス作業を行う状態）での斜視図である。図３、図４及び図５を用いて、電子機器２における実施形態での構成及び動作を説明する。
【００３４】
第１実施形態では、メンテナンス用の端子部１００は、光源構成部３００の近傍に設置されたが、第２実施形態では、メンテナンス用の端子部６００が、外装ケース５０の左面側１ｃのスピーカ構成部４００が設置される近傍に設置される。また、メンテナンス用の端子部６００を覆うカバー部材５００は、スピーカ構成部４００を覆う別カバー部材としてのスピーカカバー部材４１０により、カバー部材５００の開閉が抑制される形態で設置される。別カバー部材としてのスピーカカバー部材４１０は、カバー部材５００に対しての別部材でもある。なお、前述以外の構成部などに関しては、第１実施形態での電子機器１と同様に構成される。同様の構成部には、第１実施形態と同様の符号を付記している。
【００３５】
図４を用いて、メンテナンス用の端子部６００及びカバー部材５００と、スピーカ構成部４００及びスピーカカバー部材４１０とに関して詳細に説明する。
【００３６】
最初に、スピーカ構成部４００及びスピーカカバー部材４１０に関して説明する。
外装ケース５０には、背面側１ａと隣合う左面側１ｃとが交差するコーナー部において、それぞれの面側（１ａ，１ｃ）に一段凹ませて形成される平面領域となるスピーカカバー固定面部６０が形成されている。また、スピーカ構成部４００を構成するスピーカ部４２０は、略四角柱の枠体で、背面側１ａ及び左面側１ｃにそれぞれ１つのスピーカ（背面側１ａには、スピーカ４２１、左面側１ｃには、スピーカ４２２）を有して構成されている。
【００３７】
スピーカカバー固定面部６０には、スピーカ４２１，４２２に相対して略円形状の開口部６１，６２とが形成されている。そして、スピーカカバー固定面部６０の内側にスピーカ構成部４００のスピーカ部４２０を収納し固定される。この構成により、スピーカ４２１は、開口部６１を介して音声を背面側１ａの方向に出力し、スピーカ４２２は、開口部６２を介して音声を左面側１ｃの方向に出力する。
【００３８】
スピーカカバー固定面部６０には、スピーカ構成部４００を構成するスピーカカバー部材４１０を固定するための、固定部としてのブッシュ７０（７０ａ，７０ｂ，７０ｃ，７０ｄ）が設置されている。
【００３９】
スピーカカバー部材４１０は、断面略Ｌ字形状の枠の外面に、細かい網目状のシート材のネットを固着して構成されている。また、スピーカカバー部材４１０の内面側には、ブッシュ７０に相対する位置に固定用の突出部（図示省略）が形成されている。そして、スピーカカバー部材４１０の突出部をブッシュ７０に対応させて差込むことにより、スピーカカバー部材４１０がスピーカカバー固定面部６０に固定される。
【００４０】
次に、メンテナンス用の端子部６００及びカバー部材５００に関して説明する。
外装ケース５０には、背面側１ａにおいて、上述したスピーカカバー固定面部６０の上部側に接続させて、外装ケース５０を一段凹ませて形成される平面領域となるカバー部材受面部８０が形成されている。カバー部材受面部８０は、スピーカカバー固定面部６０の外装ケース５０の外面との段差（深さ）量に比べて浅く形成されている。
【００４１】
カバー部材受面部８０の中央部には開口部８１が形成されている。開口部８１の内部には、メンテナンス用の端子部６００が回路基板（図示省略）に実装されて設置されている。なお、端子部６００としては、第１実施形態と同様に、Ｄsub端子６１０及びリセット端子６２０が設置される。
【００４２】
カバー部材５００は、爪５１０，５１１及び爪５２０を有して板状に形成されている。そして、カバー部材受面部８０の外装ケース５０との境界部分には、カバー部材５００の爪５１０，５１１を引掛けるための穴部８２，８３が形成される。また、スピーカカバー固定面部６０のカバー部材受面部８０との境界部分には、カバー部材５００の爪５２０を逃げるための穴部６３が形成される。
【００４３】
カバー部材５００をカバー部材受面部８０に固定するには、爪５１０，５１１を穴部８２，８３に引掛ける。また、爪５２０を穴部６３に押圧して挿入し、爪５２０をスピーカカバー固定面部６０の裏面側に引掛けることによりカバー部材５００をカバー部材受面部８０に載置させる。これにより、カバー部材５００は固定される。その後、スピーカカバー部材４１０の各突起部を相対する各ブッシュ７０に押圧して挿入することにより、カバー部材５００の爪５２０をスピーカカバー部材４１０で覆う。この構成により、カバー部材５００の開閉は、スピーカカバー部材４１０により抑制されることになる。
【００４４】
このような構成により、メンテナンス用の端子部６００を使用してメンテナンス作業を行う場合には、メンテナンス作業者は、最初にカバー部材５００の開放を抑制しているスピーカカバー部材４１０を開放する（取外す）。その後、カバー部材５００の爪５２０を押圧して弾性変形させて引っ張ることでカバー部材５００を開放する。このように、スピーカカバー部材４１０及びカバー部材５００を開放した後、端子部６００としてのリセット端子６２０の操作及びＤsub端子６１０に対応するＤsub端子を挿入して第１実施形態と同様の操作を行う。
【００４５】
上述した、実施形態によれば以下の効果が得られる。
（１）本実施形態の電子機器２によれば、メンテナンス用の端子部６００は、カバー部材５００に覆われる。そして、カバー部材５００は、開閉可能な別部材としてのスピーカ構成部４００を構成するスピーカカバー部材４１０によってカバー部材５００の開閉を抑制される。そのため、メンテナンス用の端子部６００を操作する場合は、スピーカカバー部材４１０を開放した後、カバー部材５００を開放して操作することになる。よって、ユーザに対して、メンテナンス用の端子部６００を操作させ難くするための適切な構成を実現できる。従って、メンテナンス用の端子部６００を簡単に操作させないための安全性の向上を図ることができる。
【００４６】
（２）本実施形態の電子機器２によれば、カバー部材５００を抑制する別部材として、スピーカ構成部４００を覆う開閉可能な別カバー部材としてのスピーカカバー部材４１０を使用している。従って、別部材として、スピーカカバー部材４１０を共用できるため、他の部材を用いる必要がなくなり、部品やコストの低減を図ることができる。
【００４７】
（３）本実施形態の電子機器２によれば、映像を投写するプロジェクタ機能を有している。このプロジェクタ機能により、映像をスクリーン８００などの投影面に投写して視聴することができる。また、上述したと同様に、ユーザに対して、メンテナンス用の端子部６００を操作させ難くするための適切な構成を実現できることにより、メンテナンス用の端子部６００を簡単に操作させないための安全性の向上を図ったプロジェクタ機能を有する電子機器２を実現できる。
【００４８】
なお、本発明は、上述した実施形態に限定されず、種々の変更や改良などを加えることが可能である。変形例を以下に述べる。
（変形例１）前記実施形態での電子機器１，２において、メンテナンス用の端子部１００，６００は、Ｄsub端子１１０，６１０を用いているが、これに限らず、その他のコネクタ端子を用いても良い。例えば、ＲＳ２３２Ｃ端子などでも良い。
【００４９】
（変形例２）前記第１実施形態での電子機器１において、メンテナンス用の端子部１００は、光源構成部３００と共に、カバー部材２００に覆われており、カバー部材２００を開放すると端子部１００を操作することができる。しかし、これに限らず、カバー部材２００の他に、端子部１００のみを覆うカバー部材を更に設置する構造としても良い。このような構成により、ユーザに対して、更に、メンテナンス用の端子部１００を操作させ難くするための適切な構成を実現できる。従って、メンテナンス用の端子部１００を簡単に操作させないための安全性の向上を更に図ることができる。
【００５０】
（変形例３）前記第１実施形態での電子機器１において、メンテナンス用の端子部１００は、光源構成部３００と共に、カバー部材２００に覆われている。しかし、これに限らず、メンテナンス用の端子部１００を覆うカバー部材と、光源構成部３００を覆うカバー部材とを別に設けて、端子部１００を覆うカバー部材が、光源構成部３００を覆うカバー部材によって、開閉を抑制される構造としても良い。このような構成により、前記第２実施形態での効果と同様の効果を奏することができる。
【００５１】
（変形例４）前記第２実施形態での電子機器２において、端子部６００を覆うカバー部材５００は、スピーカカバー部材４１０により開閉を抑制された構成となっている。しかし、これに限らず、端子部６００をカバー部材受面部８０に設置する構造とすることで、端子部６００をカバー部材５００で覆うのではなく、スピーカカバー部材４１０によって覆う構成とすることでも良い。このような構成により、前記第１実施形態での効果と同様の効果を奏することができる。
【００５２】
（変形例５）前記実施形態および変形例３，４において、端子部１００，６００を覆うカバー部材が併せて覆う構成部として、光源構成部３００やスピーカ構成部４００を例にしているが、この他の構成部であっても良い。また、カバー部材の開閉を抑制する別部材として、光源構成部３００を覆う別のカバー部材やスピーカカバー部材４１０を例にしているが、この他の部材であっても良い。
【００５３】
（変形例６）前記実施形態での電子機器１，２におけるプロジェクタは、透過型液晶方式のプロジェクタを採用している。しかし、これに限らず、ＤＬＰ（登録商標）（Digital Light Processing）方式及び反射型液晶方式であるＬＣＯＳ（Liquid Crystal On Silicon）方式などを採用したプロジェクタであっても良い。
【００５４】
（変形例７）前記実施形態での電子機器１，２における画像再生装置として、メモリ媒体としてＤＶＤを用いたＤＶＤプレーヤを採用している。しかし、これに限らず、ビデオテープなどの各種のメモリ媒体を用いて、電子機器に差込む等することで、メモリ媒体に記録された画像や音声を再生する画像再生部を有して構成される画像再生装置でも良い。または、テレビジョン信号を受信して映像や音声に変換するチューナ部を有して構成される画像再生装置でも良い。
【００５５】
（変形例８）前記実施形態での電子機器１，２は、プロジェクタ機能を有するプロジェクタ本体と、画像を再生する画像再生装置本体とを収容した電子機器である。しかし、これに限らず、様々な機能を有する電子機器であっても、本発明の技術的思想にそって構成される電子機器であれば良い。
【図面の簡単な説明】
【００５６】
【図１】本発明の第１実施形態に係る電子機器の概略斜視図であり、背面側から見た斜視図である。
【図２】メンテナンス用の端子部及び光源構成部を覆うカバー部材を開放した状態の斜視図である。
【図３】本発明の第２実施形態に係る電子機器の概略斜視図であり、左面側から見た斜視図である。
【図４】メンテナンス用の端子部を覆うカバー部材及びスピーカ構成部を覆う別カバー部材を開放した状態の斜視図である。
【図５】カバー部材と別カバー部材を取外した状態（メンテナンス作業を行う状態）での斜視図である。
【符号の説明】
【００５７】
１，２…電子機器、１０…操作部、１１…投写レンズユニット、１２…調整部、１３…投入部、１４…表示部、１５，１６…排気口、１７，１８…吸気口、５０…外装ケース、５５…カバー部材受面部、５６…カバー部材案内口、５７，５８…穴部、５９…開口部、６０…スピーカカバー固定面部、６１，６２…開口部、６３…穴部、７０…ブッシュ、８０…カバー部材受面部、８１…開口部、８２，８３…穴部、１００…端子部、１１０…Ｄsub端子、１２０…リセット端子、２００…カバー部材、２１０，２１１…爪、２１２…固定部、２１３…突起、３００…光源構成部、３１０…ランプ、４００…スピーカ構成部、４１０…スピーカカバー部材、４２０…スピーカ部、４２１，４２２…スピーカ、５００…カバー部材、５１０，５１１，５２０…爪、６００…端子部、６１０…Ｄsub端子、６２０…リセット端子、８００…スクリーン。
【図１】
2007052320.tif 000003
【図２】
2007052320.tif 000004
【図３】
2007052320.tif 000005
【図４】
2007052320.tif 000006
【図５】
2007052320.tif 000007